(57)【要約】【課題】ユーザ装置がキャリアアグリゲーション可能な周波数バンドの組み合わせを基地局に報告するための技術を提供することである。【解決手段】本発明の一態様は、キャリアアグリゲーション機能を有するユーザ装置であって、基地局との無線通信を制御する通信制御部と、当該ユーザ装置によりサポートされるキャリアアグリゲーション可能な周波数バンドの組み合わせを管理する能力情報管理部と、アップリンクコンポーネントキャリアの個数又はダウンリンクコンポーネントキャリアの個数に関する報告順に従って、キャリアアグリゲーション可能な周波数バンドの各組み合わせを前記基地局に報告する能力情報報告部とを有するユーザ装置に関する。【選択図】図３
2018093520.tif 000002
【特許請求の範囲】
【請求項１】
キャリアアグリゲーション機能を有するユーザ装置であって、
基地局との無線通信を制御する通信制御部と、
当該ユーザ装置によりサポートされるキャリアアグリゲーション可能な周波数バンドの組み合わせを管理する能力情報管理部と、
キャリアアグリゲーション可能な周波数バンドの各組み合わせを前記基地局に報告する能力情報報告部と、
を有し、
前記通信制御部は、報告されるべきアップリンクコンポーネントキャリアの最大数とダウンリンクコンポーネントキャリアの最大数とを示すメッセージを前記基地局から受信し、
前記能力情報報告部は、前記受信したメッセージに指定される最大数以下のアップリンクコンポーネントキャリアとダウンリンクコンポーネントキャリアとの組み合わせに対応する前記キャリアアグリゲーション可能な周波数バンドの各組み合わせを前記基地局に報告するユーザ装置。
【発明の詳細な説明】
【技術分野】
【０００１】
本発明は、無線通信システムに関する。
【背景技術】
【０００２】
現在、ＬＴＥシステムの次世代の通信規格として、ＬＴＥ−Ａｄｖａｎｃｅｄ及びその高機能化を図る仕様策定が進められている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００３】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）が設定される。プライマリセルは、ＬＴＥシステムのサービングセルと同様のセルであり、ユーザ装置とネットワークとの間の接続性を担保するためのセルである。他方、セカンダリセルは、プライマリセルに追加されてユーザ装置に設定されるセルである。
【０００４】
ＬＴＥ  Ｒｅｌｅａｓｅ  １０（Ｒｅｌ−１０）の仕様では、ユーザ装置は、ＵＥ能力情報（ＵＥ  Ｃａｐａｂｉｌｉｔｙ）としてキャリアアグリゲーション可能な周波数バンドの組み合わせを最大で１２８通り基地局に報告することができる。これまで７０通り以上のキャリアアグリゲーション可能な周波数バンドの組み合わせが仕様化されており、今後も増加し続けると予想される。このため、ユーザ装置が報告可能な１２８通りの最大数を超過する可能性が生じうる。
【０００５】
このように、ユーザ装置が１２８通り以上のキャリアアグリゲーション可能な周波数バンドの組み合わせをサポートすることを想定して、基地局が特定の周波数バンドを指定し、指定した周波数バンドにおいてキャリアアグリゲーション可能な周波数バンドの組み合わせをユーザ装置に報告させる仕組みが、Ｒｅｌ−１２の仕様から規定された。当該仕様では、ユーザ装置は、以下の優先順に従ってキャリアアグリゲーション可能な周波数バンドの組み合わせを基地局に報告することが規定されている。
【０００６】
すなわち、第１に、ユーザ装置はまず、キャリアアグリゲーションが適用されない状態でサポートする周波数バンドを基地局に報告する（優先度１）。
【０００７】
第２に、ユーザ装置は、基地局から指定されたキャリアアグリゲーション可能な周波数バンドのみから構成される２つのダウンリンク（２ＤＬ）と１つのアップリンク（１ＵＬ）との組み合わせ（２ＤＬ＋１ＵＬ）を基地局に報告する（優先度２）。
【０００８】
第３に、ユーザ装置は、その他のキャリアアグリゲーション可能な２ＤＬ＋１ＵＬの周波数バンドの組み合わせを基地局に報告する（優先度３）。
【０００９】
第４に、ユーザ装置は、その他のキャリアアグリゲーション可能な周波数バンドの組み合わせを基地局に報告する（優先度４）。
【先行技術文献】
【非特許文献】
【００１０】
【非特許文献１】３ＧＰＰ  Ｒ２−１４２８９４
【非特許文献２】３ＧＰＰ  Ｒ２−１４２８９６
【発明の概要】
【発明が解決しようとする課題】
【００１１】
上述した優先度に従ってユーザ装置がキャリアアグリゲーション可能な周波数バンドの組み合わせを報告する際、ユーザ装置は、優先度４において２ＤＬ＋１ＵＬ以外のキャリアアグリゲーション可能な周波数バンドの組み合わせ（例えば、２ＤＬ＋２ＵＬ、３ＤＬ＋１ＵＬ、３ＤＬ＋２ＵＬなど）を基地局に報告する。
【００１２】
しかしながら、図１に示されるように、キャリアアグリゲーション可能な２ＤＬ＋１ＵＬの周波数バンドの組み合わせは、上述した優先度２，３により基地局に報告されることが規定される一方、優先度４により報告される２ＤＬ＋１ＵＬ以外のキャリアアグリゲーション可能な周波数バンドの各組み合わせが、何れの順序により基地局に報告するかは現在規定されていない。
【００１３】
また、ユーザ装置がキャリアアグリゲーション可能な周波数バンドの全ての組み合わせを基地局に報告する場合、ＵＥ能力情報のシグナリングサイズが大きくなる。この場合、基地局やＭＭＥ（Ｍｏｂｉｌｉｔｙ  Ｍａｎａｇｅｍｅｎｔ  Ｅｎｔｉｔｙ）は、ネットワークに接続した各ユーザ装置のＵＥ能力情報を保持するため、基地局やＭＭＥには大きなメモリ容量が確保される必要がある。
【００１４】
上述した問題点を鑑み、本発明の課題は、ユーザ装置がキャリアアグリゲーション可能な周波数バンドの各組み合わせを基地局に報告するための技術を提供することである。
【課題を解決するための手段】
【００１５】
上記課題を解決するため、本発明の一態様は、キャリアアグリゲーション機能を有するユーザ装置であって、基地局との無線通信を制御する通信制御部と、当該ユーザ装置によりサポートされるキャリアアグリゲーション可能な周波数バンドの組み合わせを管理する能力情報管理部と、アップリンクコンポーネントキャリアの個数又はダウンリンクコンポーネントキャリアの個数に関する報告順（昇順など）に従って、キャリアアグリゲーション可能な周波数バンドの各組み合わせを前記基地局に報告する能力情報報告部とを有するユーザ装置に関する。
【００１６】
本発明の他の態様は、キャリアアグリゲーション機能を有するユーザ装置における能力情報報告方法であって、基地局から、前記ユーザ装置によりサポートされるキャリアアグリゲーション可能な周波数バンドの組み合わせを報告させるための能力照会メッセージを受信するステップと、アップリンクコンポーネントキャリアの個数又はダウンリンクコンポーネントキャリアの個数に関する報告順（昇順など）に従って、キャリアアグリゲーション可能な周波数バンドの各組み合わせを前記基地局に報告するステップとを有する能力情報報告方法に関する。
【発明の効果】
【００１７】
本発明によると、ユーザ装置がキャリアアグリゲーション可能な周波数バンドの各組み合わせを基地局に報告するための技術を提供することができる。
【図面の簡単な説明】
【００１８】
【図１】図１は、従来技術によるキャリアアグリゲーション可能な周波数バンドの組み合わせ及びその報告順を示す図である。
【図２】図２は、本発明の一実施例による無線通信システムを示す概略図である。
【図３】図３は、本発明の一実施例によるユーザ装置の構成を示すブロック図である。
【図４】図４は、本発明の一実施例によるキャリアアグリゲーション可能な周波数バンドの組み合わせのダウンリンク優先報告順を示す図である。
【図５】図５は、本発明の一実施例によるキャリアアグリゲーション可能な周波数バンドの組み合わせのアップリンク優先報告順を示す図である。
【図６】図６は、本発明の一実施例による報告順を指定するシグナリング例を示す図である。
【図７】図７は、本発明の一実施例によるキャリアアグリゲーション可能な周波数バンドの組み合わせを識別するための具体例を示す図である。
【図８】図８は、本発明の一実施例による報告対象を指定するシグナリング例を示す図である。
【図９】図９は、本発明の一実施例による報告対象を指定するシグナリング例を示す図である。
【図１０】図１０は、本発明の一実施例による能力情報報告処理を示すフロー図である。
【発明を実施するための形態】
【００１９】
以下、図面に基づいて本発明の実施の形態を説明する。
【００２０】
以下の実施例では、キャリアアグリゲーション機能を有するユーザ装置が開示される。本発明を概略すると、基地局が、ユーザ装置によりサポートされるキャリアアグリゲーション可能な周波数バンドの組み合わせを報告させるための能力照会メッセージを送信すると、ユーザ装置は、アップリンクコンポーネントキャリアの個数又はダウンリンクコンポーネントキャリアの個数に関する昇順などの報告順に従って、キャリアアグリゲーション可能な周波数バンドの各組み合わせを基地局に報告する。また、基地局が報告対象となるアップリンクコンポーネントキャリアの個数とダウンリンクコンポーネントキャリアの個数との組み合わせを指定している場合、ユーザ装置は、報告対象となるキャリアアグリゲーション可能な周波数バンドの組み合わせを特定し、特定した各組み合わせを上述した報告順に従って基地局に報告する。
【００２１】
これにより、ＬＴＥ規格で規定されていない２つのダウンリンクコンポーネントキャリア（２ＤＬ）と１つのアップリンクコンポーネントキャリア（１ＵＬ）との組み合わせ（２ＤＬ＋１ＵＬ）以外のキャリアアグリゲーション可能な周波数バンドの各組み合わせの報告順を規定することが可能になる。
【００２２】
図２を参照して、本発明の一実施例による無線通信システムを説明する。図２は、本発明の一実施例による無線通信システムを示す概略図である。
【００２３】
図２に示されるように、無線通信システム１０は、ユーザ装置１００及び基地局２００Ａ，２００Ｂ（以降、基地局２００として総称されてもよい）を有する。無線通信システム１０は、ユーザ装置１００が基地局２００Ａ，２００Ｂにより提供されるコンポーネントキャリアＣＣ＃１，ＣＣ＃２，ＣＣ＃３を用いて同時通信するキャリアアグリゲーションをサポートする。
【００２４】
ユーザ装置１００は、キャリアアグリゲーション機能を有し、１以上の基地局２００により提供される複数のセルを用いて同時通信することができる。図示されるように、ユーザ装置１００は、マスタ基地局（ＭｅＮＢ）２００Ａとセカンダリ基地局（ＳｅＮＢ）２００Ｂとの異なる２つの基地局２００Ａ，２００Ｂによりそれぞれ提供されるＣＣ＃１及びＣＣ＃２を同時に利用したデュアルコネクティビティにより通信することができる。また、ユーザ装置１００は、１つの基地局２００Ａにより提供されるＣＣ＃１及びＣＣ＃３を同時に利用したキャリアアグリゲーション（イントラｅＮＢ  ＣＡ）により通信することもできる。図示された実施例では、２つの基地局２００Ａ，２００Ｂしか示されていないが、一般には、無線通信システム１０のサービスエリアをカバーするよう多数の基地局２００が配置される。
【００２５】
典型的には、ユーザ装置１００は、図示されるように、スマートフォン、携帯電話、タブレット、モバイルルータ、ウェアラブル端末などの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００Ａ，２００Ｂとの間で無線信号を送受信するための無線通信装置などから構成される。例えば、後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００２６】
基地局２００は、キャリアアグリゲーションによりユーザ装置１００と無線通信することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。デュアルコネクティビティＣＡでは、基地局２００Ａがマスタ基地局（ＭｅＮＢ）又はプライマリ基地局として機能し、基地局２００Ｂがセカンダリ基地局（ＳｅＮＢ）として機能する。この場合、マスタ基地局２００Ａが、ユーザ装置１００と基地局２００Ａ，２００Ｂとの間のデュアルコネクティビティによる同時通信を制御すると共に、上位のコアネットワーク（図示せず）との間の通信を制御する。他方、イントラｅＮＢ  ＣＡでは、ユーザ装置１００は、基地局２００Ａにより提供される複数のコンポーネントキャリアを用いて同時通信する。
【００２７】
次に、図３を参照して、本発明の一実施例によるユーザ装置の構成を説明する。図３は、本発明の一実施例によるユーザ装置の構成を示すブロック図である。
【００２８】
図３に示されるように、ユーザ装置１００は、通信制御部１１０、能力情報管理部１２０及び能力情報報告部１３０を有する。
【００２９】
通信制御部１１０は、基地局２００との無線通信を制御する。具体的には、通信制御部１１０は、基地局２００との無線通信を実現するため、基地局２００との間でアップリンク／ダウンリンク制御チャネルやアップリンク／ダウンリンクデータチャネルなどの各種無線チャネルの送受信を制御する。
【００３０】
能力情報管理部１２０は、ユーザ装置１００によりサポートされるキャリアアグリゲーション可能な周波数バンドの組み合わせを管理する。具体的には、能力情報管理部１２０は、アップリンクコンポーネントキャリアの個数（＃ＤＬ）とダウンリンクコンポーネントキャリアの個数（＃ＵＬ）との各組み合わせ（＃ＤＬ＋＃ＵＬ）について、ユーザ装置１００によりサポートされるキャリアアグリゲーション可能な周波数バンドの組み合わせを管理する。例えば、能力情報管理部１２０は、２つのダウンリンク（２ＤＬ）と１つのアップリンク（１ＵＬ）との組み合わせ（２ＤＬ＋１ＵＬ）について、キャリアアグリゲーション可能な周波数バンドの組み合わせ（ＤＬ１１２ＤＬ＋１ＵＬ，ＤＬ２１２ＤＬ＋１ＵＬ，ＵＬ１１２ＤＬ＋１ＵＬ），（ＤＬ１２２ＤＬ＋１ＵＬ，ＤＬ２２２ＤＬ＋１ＵＬ，ＵＬ１２２ＤＬ＋１ＵＬ），...を保持し、２つのダウンリンク（２ＤＬ）と２つのアップリンク（２ＵＬ）との組み合わせ（２ＤＬ＋２ＵＬ）について、キャリアアグリゲーション可能な周波数バンドの組み合わせ（ＤＬ１１２ＤＬ＋２ＵＬ，ＤＬ２１２ＤＬ＋２ＵＬ，ＵＬ１１２ＤＬ＋２ＵＬ，ＵＬ２１２ＤＬ＋２ＵＬ），（ＤＬ１２２ＤＬ＋２ＵＬ，ＤＬ２２２ＤＬ＋２ＵＬ，ＵＬ１２２ＤＬ＋２ＵＬ，ＵＬ２２２ＤＬ＋２ＵＬ），...を保持し、同様にして、５ＤＬ＋５ＵＬまでのキャリアアグリゲーション可能な周波数バンドの組み合わせを保持してもよい。なお、能力情報管理部１２０は、キャリアアグリゲーションが適用されない状態でサポートする周波数バンドを１ＤＬ＋１ＵＬ（Ｎｏｎ−ＣＡ）の組み合わせとして更に保持してもよい。
【００３１】
上述した具体例では、キャリアアグリゲーション可能な周波数バンドの組み合わせとして、２ＤＬ＋１ＵＬから５ＤＬ＋５ＵＬまでの各組み合わせについて説明したが、本発明はこれに限定されるものでなく、その他のアップリンクコンポーネントキャリアの個数とダウンリンクコンポーネントキャリアの個数との組み合わせが含まれてもよい。
【００３２】
能力情報報告部１３０は、アップリンクコンポーネントキャリアの個数又はダウンリンクコンポーネントキャリアの個数に関する報告順に従って、キャリアアグリゲーション可能な周波数バンドの各組み合わせを基地局２００に報告する。一実施例では、能力情報報告部１３０は、アップリンクコンポーネントキャリアの個数又はダウンリンクコンポーネントキャリアの個数の昇順により、キャリアアグリゲーション可能な周波数バンドの各組み合わせを基地局２００に報告してもよい。
【００３３】
例えば、ダウンリンクコンポーネントキャリアの個数の昇順により、キャリアアグリゲーション可能な周波数バンドの各組み合わせを基地局２００に報告する場合、能力情報報告部１３０は、まず優先度１によりキャリアアグリゲーションが適用されない状態でサポートする周波数バンドを基地局２００に報告し、次に優先度２，３により２ＤＬ＋１ＵＬのキャリアアグリゲーション可能な周波数バンドの組み合わせ（２ＤＬ＋１ＵＬ）を基地局２００に報告する。次に、優先度４において、ユーザ装置１００は、ダウンリンクコンポーネントキャリアの個数の昇順に従って、すなわち、図１に例示されるような５ＤＬ＋５ＵＬまでのアップリンクコンポーネントキャリアの個数とダウンリンクコンポーネントキャリアの個数との各組み合わせについて、３ＤＬ＋１ＵＬ、４ＤＬ＋１ＵＬ、５ＤＬ＋１ＵＬ、２ＤＬ＋２ＵＬ、３ＤＬ＋２ＵＬ、４ＤＬ＋２ＵＬ、５ＤＬ＋２ＵＬ、３ＤＬ＋３ＵＬ、４ＤＬ＋３ＵＬ、５ＤＬ＋３ＵＬ、４ＤＬ＋４ＵＬ、５ＤＬ＋４ＵＬ、５ＤＬ＋５ＵＬの報告順でキャリアアグリゲーション可能な周波数バンドの組み合わせを基地局に報告する。
【００３４】
他方、アップリンクコンポーネントキャリアの個数の昇順により、キャリアアグリゲーション可能な周波数バンドの各組み合わせを基地局２００に報告する場合、能力情報報告部１３０は、まず優先度１によりキャリアアグリゲーションが適用されない状態でサポートする周波数バンドを基地局２００に報告し、次に優先度２，３により２ＤＬ＋１ＵＬのキャリアアグリゲーション可能な周波数バンドの組み合わせ（２ＤＬ＋１ＵＬ）を基地局２００に報告する。次に、優先度４において、ユーザ装置１００は、アップリンクコンポーネントキャリアの個数の昇順に従って、すなわち、図１に例示されるような５ＤＬ＋５ＵＬまでのアップリンクコンポーネントキャリアの個数とダウンリンクコンポーネントキャリアの個数との各組み合わせについて、２ＤＬ＋２ＵＬ、３ＤＬ＋１ＵＬ、３ＤＬ＋２ＵＬ、３ＤＬ＋３ＵＬ、４ＤＬ＋１ＵＬ、４ＤＬ＋２ＵＬ、４ＤＬ＋３ＵＬ、４ＤＬ＋４ＵＬ、５ＤＬ＋１ＵＬ、５ＤＬ＋２ＵＬ、５ＤＬ＋３ＵＬ、５ＤＬ＋４ＵＬ、５ＤＬ＋５ＵＬの報告順でキャリアアグリゲーション可能な周波数バンドの組み合わせを基地局に報告する。
【００３５】
また、一実施例では、能力情報報告部１３０は、アップリンクコンポーネントキャリアの個数又はダウンリンクコンポーネントキャリアの個数の昇順により、基地局２００から指定された周波数バンドから構成される各組み合わせを基地局２００に報告し、その後に基地局２００から指定されない周波数バンドを含む各組み合わせを基地局２００に報告してもよい。２ＤＬ＋１ＵＬの組み合わせについて、仕様によると、ユーザ装置１００は、まず優先度２に従って基地局２００から指定されたキャリアアグリゲーション可能な周波数バンドのみから構成される２ＤＬ＋１ＵＬの組み合わせを基地局２００に報告し、その後に優先度３に従ってその他の２ＤＬ＋１ＵＬの組み合わせを基地局２００に報告する。本実施例では、その他のアップリンクコンポーネントキャリアの個数とダウンリンクコンポーネントキャリアの個数との各組み合わせについても同様に、ユーザ装置１００はまず基地局２００から指定された周波数バンドから構成される各組み合わせを基地局２００に報告し、その後に基地局２００から指定されない周波数バンドを含む各組み合わせを基地局２００に報告する。
【００３６】
例えば、ダウンリンクコンポーネントキャリアの個数の昇順により、キャリアアグリゲーション可能な周波数バンドの各組み合わせを基地局２００に報告する場合、能力情報報告部１３０は、まず優先度１によりキャリアアグリゲーションが適用されない状態でサポートする周波数バンドを基地局２００に報告し、次に優先度２，３により２ＤＬ＋１ＵＬのキャリアアグリゲーション可能な周波数バンドの組み合わせ（２ＤＬ＋１ＵＬ）を基地局２００に報告する。次に、優先度４により、ユーザ装置１００は、図４に示されるように、基地局２００から指定された周波数バンドから構成される各組み合わせをダウンリンクコンポーネントキャリアの昇順により基地局２００に報告する。すなわち、ユーザ装置１００は、３ＤＬ＋１ＵＬ（３）、４ＤＬ＋１ＵＬ（４）、５ＤＬ＋１ＵＬ（５）、２ＤＬ＋２ＵＬ（６）、３ＤＬ＋２ＵＬ（７）、４ＤＬ＋２ＵＬ（８）、５ＤＬ＋２ＵＬ（９）、３ＤＬ＋３ＵＬ（１０）、４ＤＬ＋３ＵＬ（１１）、５ＤＬ＋３ＵＬ（１２）、４ＤＬ＋４ＵＬ（１３）、５ＤＬ＋４ＵＬ（１４）、５ＤＬ＋５ＵＬ（１５）の報告順で、基地局２００から指定された周波数バンドから構成されるキャリアアグリゲーション可能な周波数バンドの各組み合わせを基地局２００に報告する。次に、ユーザ装置１００は、３ＤＬ＋１ＵＬ（１６）、４ＤＬ＋１ＵＬ（１７）、５ＤＬ＋１ＵＬ（１８）、２ＤＬ＋２ＵＬ（１９）、３ＤＬ＋２ＵＬ（２０）、４ＤＬ＋２ＵＬ（２１）、５ＤＬ＋２ＵＬ（２２）、３ＤＬ＋３ＵＬ（２３）、４ＤＬ＋３ＵＬ（２４）、５ＤＬ＋３ＵＬ（２５）、４ＤＬ＋４ＵＬ（２６）、５ＤＬ＋４ＵＬ（２７）、５ＤＬ＋５ＵＬ（２８）の報告順で、基地局２００から指定されない周波数バンドを含むキャリアアグリゲーション可能な周波数バンドの各組み合わせを基地局２００に報告する。
【００３７】
他方、アップリンクコンポーネントキャリアの個数の昇順により、キャリアアグリゲーション可能な周波数バンドの各組み合わせを基地局２００に報告する場合、能力情報報告部１３０は、まず優先度１によりキャリアアグリゲーションが適用されない状態でサポートする周波数バンドを基地局２００に報告し、次に優先度２，３により２ＤＬ＋１ＵＬのキャリアアグリゲーション可能な周波数バンドの組み合わせ（２ＤＬ＋１ＵＬ）を基地局２００に報告する。次に、優先度４により、ユーザ装置１００は、図５に示されるように、基地局２００から指定された周波数バンドから構成される各組み合わせをアップリンクコンポーネントキャリアの昇順により基地局２００に報告する。すなわち、ユーザ装置１００は、２ＤＬ＋２ＵＬ（３）、３ＤＬ＋１ＵＬ（４）、３ＤＬ＋２ＵＬ（５）、３ＤＬ＋３ＵＬ（６）、４ＤＬ＋１ＵＬ（７）、４ＤＬ＋２ＵＬ（８）、４ＤＬ＋３ＵＬ（９）、４ＤＬ＋４ＵＬ（１０）、５ＤＬ＋１ＵＬ（１１）、５ＤＬ＋２ＵＬ（１２）、５ＤＬ＋３ＵＬ（１３）、５ＤＬ＋４ＵＬ（１４）、５ＤＬ＋５ＵＬ（１５）の報告順で、基地局２００から指定された周波数バンドから構成されるキャリアアグリゲーション可能な周波数バンドの各組み合わせを基地局２００に報告する。次に、ユーザ装置１００は、２ＤＬ＋２ＵＬ（１６）、３ＤＬ＋１ＵＬ（１７）、３ＤＬ＋２ＵＬ（１８）、３ＤＬ＋３ＵＬ（１９）、４ＤＬ＋１ＵＬ（２０）、４ＤＬ＋２ＵＬ（２１）、４ＤＬ＋３ＵＬ（２２）、４ＤＬ＋４ＵＬ（２３）、５ＤＬ＋１ＵＬ（２４）、５ＤＬ＋２ＵＬ（２５）、５ＤＬ＋３ＵＬ（２６）、５ＤＬ＋４ＵＬ（２７）、５ＤＬ＋５ＵＬ（２８）の報告順で、基地局２００から指定されない周波数バンドを含むキャリアアグリゲーション可能な周波数バンドの各組み合わせを基地局２００に報告する。
【００３８】
一実施例では、アップリンクコンポーネントキャリアの個数の昇順とダウンリンクコンポーネントキャリアの個数の昇順との何れの報告順を利用すべきかが、能力情報報告部１３０に予め設定され、能力情報報告部１３０は、設定されている報告順に従ってキャリアアグリゲーションが可能な周波数バンドの各組み合わせを基地局２００に報告してもよい。すなわち、適用される報告順が能力情報報告部１３０に静的に設定され、能力情報報告部１３０は、静的に設定された報告順に従ってアップリンクコンポーネントキャリアの個数とダウンリンクコンポーネントキャリアの個数との各組み合わせのキャリアアグリゲーション可能な周波数バンドの組み合わせを基地局２００に報告してもよい。
【００３９】
例えば、ダウンリンクコンポーネントキャリアの個数の昇順により、ユーザ装置１００はまず基地局２００から指定された周波数バンドから構成される各組み合わせを基地局２００に報告し、その後に基地局２００から指定されない周波数バンドを含む各組み合わせを基地局２００に報告するよう予め設定されているとする。この場合、ユーザ装置１００は、優先度１〜３を実行した後、３ＤＬ＋１ＵＬ（３）、４ＤＬ＋１ＵＬ（４）、５ＤＬ＋１ＵＬ（５）、２ＤＬ＋２ＵＬ（６）、３ＤＬ＋２ＵＬ（７）、４ＤＬ＋２ＵＬ（８）、５ＤＬ＋２ＵＬ（９）、３ＤＬ＋３ＵＬ（１０）、４ＤＬ＋３ＵＬ（１１）、５ＤＬ＋３ＵＬ（１２）、４ＤＬ＋４ＵＬ（１３）、５ＤＬ＋４ＵＬ（１４）、５ＤＬ＋５ＵＬ（１５）の報告順で、基地局２００から指定された周波数バンドから構成されるキャリアアグリゲーション可能な周波数バンドの各組み合わせを基地局２００に報告し、その後、３ＤＬ＋１ＵＬ（１６）、４ＤＬ＋１ＵＬ（１７）、５ＤＬ＋１ＵＬ（１８）、２ＤＬ＋２ＵＬ（１９）、３ＤＬ＋２ＵＬ（２０）、４ＤＬ＋２ＵＬ（２１）、５ＤＬ＋２ＵＬ（２２）、３ＤＬ＋３ＵＬ（２３）、４ＤＬ＋３ＵＬ（２４）、５ＤＬ＋３ＵＬ（２５）、４ＤＬ＋４ＵＬ（２６）、５ＤＬ＋４ＵＬ（２７）、５ＤＬ＋５ＵＬ（２８）の報告順で、基地局２００から指定されない周波数バンドを含むキャリアアグリゲーション可能な周波数バンドの各組み合わせを基地局２００に報告する。
【００４０】
他方、アップリンクコンポーネントキャリアの個数の昇順により、ユーザ装置１００はまず基地局２００から指定された周波数バンドから構成される各組み合わせを基地局２００に報告し、その後に基地局２００から指定されない周波数バンドを含む各組み合わせを基地局２００に報告するよう予め設定されているとする。この場合、ユーザ装置１００は、優先度１〜３を実行した後、２ＤＬ＋２ＵＬ（３）、３ＤＬ＋１ＵＬ（４）、３ＤＬ＋２ＵＬ（５）、３ＤＬ＋３ＵＬ（６）、４ＤＬ＋１ＵＬ（７）、４ＤＬ＋２ＵＬ（８）、４ＤＬ＋３ＵＬ（９）、４ＤＬ＋４ＵＬ（１０）、５ＤＬ＋１ＵＬ（１１）、５ＤＬ＋２ＵＬ（１２）、５ＤＬ＋３ＵＬ（１３）、５ＤＬ＋４ＵＬ（１４）、５ＤＬ＋５ＵＬ（１５）の報告順で、基地局２００から指定された周波数バンドから構成されるキャリアアグリゲーション可能な周波数バンドの各組み合わせを基地局２００に報告し、その後、２ＤＬ＋２ＵＬ（１６）、３ＤＬ＋１ＵＬ（１７）、３ＤＬ＋２ＵＬ（１８）、３ＤＬ＋３ＵＬ（１９）、４ＤＬ＋１ＵＬ（２０）、４ＤＬ＋２ＵＬ（２１）、４ＤＬ＋３ＵＬ（２２）、４ＤＬ＋４ＵＬ（２３）、５ＤＬ＋１ＵＬ（２４）、５ＤＬ＋２ＵＬ（２５）、５ＤＬ＋３ＵＬ（２６）、５ＤＬ＋４ＵＬ（２７）、５ＤＬ＋５ＵＬ（２８）の報告順で、基地局２００から指定されない周波数バンドを含むキャリアアグリゲーション可能な周波数バンドの各組み合わせを基地局２００に報告する。
【００４１】
あるいは、他の実施例では、通信制御部１１０は、アップリンクコンポーネントキャリアの個数の昇順とダウンリンクコンポーネントキャリアの個数の昇順との何れの報告順を適用すべきかを示すメッセージを基地局２００から受信し、能力情報報告部１３０は、受信したメッセージに指定された報告順に従ってキャリアアグリゲーションが可能な周波数バンドの各組み合わせを基地局２００に報告してもよい。例えば、基地局２００は、図６に示される能力照会メッセージ（ＵＥＣａｐａｂｉｌｉｔｙＥｎｑｕｉｒｙメッセージ）において"ｐｒｉｏｒｉｔｉｓｅｔｅｄＣＡｃｏｎｆｉｇｕｒａｔｉｏｎｓ"フィールドを"ｄｌ"又は"ｕｌ"に設定することによって、ユーザ装置１００からのキャリアアグリゲーション可能な周波数バンドの組み合わせの報告順を、それぞれダウンリンクコンポーネントキャリア（ｄｌ）の個数の昇順又はアップリンクコンポーネントキャリア（ｕｌ）の個数の昇順に指定してもよい。
【００４２】
更なる実施例では、通信制御部１１０は、異なる周波数バンド間のキャリアアグリゲーションと同一の周波数バンド内のキャリアアグリゲーションとの何れのキャリアアグリゲーションであるかを示すメッセージを基地局２００から受信し、能力情報報告部１３０は、受信したメッセージに指定されたキャリアアグリゲーションに対応するキャリアアグリゲーションが可能な周波数バンドの各組み合わせを基地局２００に報告してもよい。例えば、基地局２００は、図６に示される能力照会メッセージにおいて"ｐｒｉｏｒｉｔｉｓｅｔｅｄＣＡｂａｎｄｃｏｍｂｉｎａｔｉｏｎｓ"フィールドを"ｉｎｔｅｒ"又は"ｉｎｔｒａ"に設定することによって、それぞれ異なる周波数バンド間のキャリアアグリゲーションと同一の周波数バンド内のキャリアアグリゲーションを指定してもよい。
【００４３】
上述した実施例では、能力情報報告部１３０は、優先度１〜３の実行後、設定されている報告順に従ってキャリアアグリゲーション可能な周波数バンドの各組み合わせを基地局２００に順次報告した。一方、２ＤＬ＋１ＵＬから５ＤＬ＋５ＵＬの１４通りのパターンの全てが必ずしも基地局２００に報告される必要がないケースもある。この場合、基地局２００は、指定したアップリンクコンポーネントキャリアの個数（＃ＵＬ）とダウンリンクコンポーネントキャリアの個数（＃ＤＬ）との組み合わせに対するキャリアアグリゲーション可能な周波数バンドの組み合わせ（＃ＤＬ＋＃ＵＬ）のみをユーザ装置１００に報告させるようにしてもよい。例えば、通信制御部１１０は、報告されるべきアップリンクコンポーネントキャリアの個数とダウンリンクコンポーネントキャリアの個数との組み合わせを示すメッセージを基地局２００から受信し、能力情報報告部１３０は、受信したアップリンクコンポーネントキャリアの個数とダウンリンクコンポーネントキャリアの個数との組み合わせに対応するキャリアアグリゲーション可能な周波数バンドの各組み合わせを基地局２００に報告してもよい。このため、受信したアップリンクコンポーネントキャリアの個数とダウンリンクコンポーネントキャリアの個数との各組み合わせ（＃ＤＬ＋＃ＵＬ）が番号付けされ、基地局２００は、ユーザ装置１００に報告させるキャリアアグリゲーション可能な周波数バンドの組み合わせを指定してもよい。
【００４４】
例えば、図７に示される各組み合わせの識別例では、キャリアアグリゲーションが適用されない状態でユーザ装置１００がサポートする周波数バンド（１ＤＬ＋１ＵＬ又はＮｏｎ−ＣＡ）を第１の組み合わせ（１ｓｔ）として識別し、次に、２ＤＬ＋１ＵＬを第２の組み合わせとして識別し、他の組み合わせは図７に示されるように識別するようにしてもよい。このように１５通りの各組み合わせに識別子が割り当てられると、基地局２００は、当該識別子によってユーザ装置１００に報告させるキャリアアグリゲーション可能な周波数バンドの組み合わせを指定することが可能になる。例えば、基地局２００は、図８に示される能力照会メッセージにおいて、１５ビット長のビット列の"ｒｅｑｕｅｓｔｅｄＣＡｃｏｎｆｉｇｕｒａｔｉｏｎｓ"フィールドを含め、ユーザ装置１００に報告させるキャリアアグリゲーション可能な周波数バンドの組み合わせに対応するビットを設定することによって、キャリアアグリゲーション可能な周波数バンドの１以上の組み合わせを指定してもよい。当該能力照会メッセージを受信すると、能力情報報告部１３０は、設定されたビットに対応するアップリンクコンポーネントキャリアの個数とダウンリンクコンポーネントキャリアの個数との組み合わせを特定し、当該組み合わせにするキャリアアグリゲーション可能な周波数バンドの組み合わせを基地局２００に報告する。
【００４５】
ここで、複数の組み合わせが指定されている場合、能力情報報告部１３０は、設定されている報告順に従ってキャリアアグリゲーション可能な周波数バンドの各組み合わせを基地局２００に報告する。例えば、"ｒｅｑｕｅｓｔｅｄＣＡｃｏｎｆｉｇｕｒａｔｉｏｎｓ"フィールドにおいて第１〜５ビットが設定され、また報告順がダウンリンクコンポーネントキャリアの個数の昇順である場合、能力情報報告部１３０は、１ＤＬ＋１ＵＬ（Ｎｏｎ−ＣＡ）、２ＤＬ＋１ＵＬ、３ＤＬ＋１ＵＬ、４ＤＬ＋１ＵＬ、５ＤＬ＋１ＵＬの報告順によって、キャリアアグリゲーション可能な周波数バンドの各組み合わせを基地局２００に報告する。
【００４６】
他方、通信制御部１１０は、報告される必要のないアップリンクコンポーネントキャリアの個数とダウンリンクコンポーネントキャリアの個数との組み合わせを示すメッセージを基地局２００から受信し、能力情報報告部１３０は、受信したアップリンクコンポーネントキャリアの個数とダウンリンクコンポーネントキャリアの個数とに対応しないキャリアアグリゲーション可能な周波数バンドの各組み合わせを基地局２００に報告してもよい。この場合、基地局２００は、当該識別子によってユーザ装置１００に報告させる必要のないキャリアアグリゲーション可能な周波数バンドの組み合わせを指定し、能力情報報告部１３０は、指定されていないアップリンクコンポーネントキャリアの個数とダウンリンクコンポーネントキャリアの個数との組み合わせを特定し、当該組み合わせにするキャリアアグリゲーション可能な周波数バンドの組み合わせを基地局２００に報告する。
【００４７】
また、他の実施例では、通信制御部１１０は、報告されるべきアップリンクコンポーネントキャリアの最大数とダウンリンクコンポーネントキャリアの最大数とを示すメッセージを基地局２００から受信し、能力情報報告部１３０は、受信したメッセージに指定された最大数以下のアップリンクコンポーネントキャリアとダウンリンクコンポーネントキャリアとの組み合わせに対応するキャリアアグリゲーション可能な周波数バンドの各組み合わせを基地局２００に報告してもよい。例えば、基地局２００は、図９に示される能力照会メッセージにおいて、"ｒｅｑｕｅｓｔｅｄＣＡｃｏｎｆｉｇｕｒａｔｉｏｎｓＤＬ"フィールド及び"ｒｅｑｕｅｓｔｅｄＣＡｃｏｎｆｉｇｕｒａｔｉｏｎｓＵＬ"フィールドにダウンリンクコンポーネントキャリアの最大数及びアップリンクコンポーネントキャリアの最大数をそれぞれ設定することによって、キャリアアグリゲーション可能な周波数バンドの１以上の組み合わせを指定してもよい。当該能力照会メッセージを受信すると、能力情報報告部１３０は、設定された最大数以下のアップリンクコンポーネントキャリアとダウンリンクコンポーネントキャリアとの組み合わせを特定し、当該組み合わせに対応するキャリアアグリゲーション可能な周波数バンドの組み合わせを基地局２００に報告する。例えば、ダウンリンクコンポーネントキャリアの最大数が３として、アップリンクコンポーネントキャリアの最大数が２として指定された場合、能力情報報告部１３０は、第１〜３組み合わせと第６〜７組み合わせを報告対象として特定し、これらの組み合わせに対応するキャリアアグリゲーション可能な周波数バンドの各組み合わせを基地局２００に報告する。このとき、報告順がダウンリンクコンポーネントキャリアの個数の昇順である場合、能力情報報告部１３０は、１ＤＬ＋１ＵＬ（Ｎｏｎ−ＣＡ）、２ＤＬ＋１ＵＬ、３ＤＬ＋１ＵＬ、２ＤＬ＋２ＵＬ、３ＤＬ＋２ＵＬの報告順によって、キャリアアグリゲーション可能な周波数バンドの各組み合わせを基地局２００に報告する。
【００４８】
更なる他の実施例では、通信制御部１１０は、報告されるべきアップリンクコンポーネントキャリアの個数とダウンリンクコンポーネントキャリアの個数の上下共通の最大値を示すメッセージを基地局２００から受信し、能力情報報告部１３０は、受信したメッセージに指定される最大値以下のアップリンクコンポーネントキャリアとダウンリンクコンポーネントキャリアとの組み合わせに対応するキャリアアグリゲーション可能な周波数バンドの各組み合わせを基地局２００に報告してもよい。例えば、基地局２００は、能力照会メッセージにおいて当該最大数を設定することによって、キャリアアグリゲーション可能な周波数バンドの１以上の組み合わせを指定してもよい。当該能力照会メッセージを受信すると、能力情報報告部１３０は、設定された最大値以下のアップリンクコンポーネントキャリアとダウンリンクコンポーネントキャリアとの組み合わせを特定し、当該組み合わせに対応するキャリアアグリゲーション可能な周波数バンドの組み合わせを基地局２００に報告する。例えば、最大値が３として指定された場合、能力情報報告部１３０は、第１〜３組み合わせと第６組み合わせを報告対象として特定し、これらの組み合わせに対応するキャリアアグリゲーション可能な周波数バンドの各組み合わせを基地局２００に報告する。このとき、報告順がダウンリンクコンポーネントキャリアの個数の昇順である場合、能力情報報告部１３０は、１ＤＬ＋１ＵＬ（Ｎｏｎ−ＣＡ）、２ＤＬ＋１ＵＬ、３ＤＬ＋１ＵＬ、２ＤＬ＋２ＵＬ、３ＤＬ＋２ＵＬ，３ＤＬ＋３ＵＬの報告順によって、キャリアアグリゲーション可能な周波数バンドの各組み合わせを基地局２００に報告する。
【００４９】
上述した実施例では、報告順がアップリンクコンポーネントキャリア又はダウンリンクコンポーネントキャリアの個数の昇順に設定されたが、本発明はこれに限定されるものでなく、他の何れか適切なアップリンクコンポーネントキャリア及び／又はダウンリンクコンポーネントキャリアの個数の組み合わせに基づく報告順が適用されてもよい。
【００５０】
例えば、ユーザ装置１００は、アップリンクコンポーネントキャリア又はダウンリンクコンポーネントキャリアの個数の降順により、キャリアアグリゲーション可能な周波数バンドの各組み合わせを基地局２００に報告してもよい。これにより、例えば、基地局２００において所定の閾値以上の無線リソースが未使用である場合やユーザ装置１００との通信に所定の閾値以上の無線リソースを必要とする場合などにおいて、基地局２００は、可能な限り多くの無線リソースをユーザ装置１００に割り当てるため、５ＤＬ＋５ＵＬのキャリアアグリゲーション可能な周波数バンドの組み合わせを優先的に報告させることが可能になる。
【００５１】
次に、図１０を参照して、本発明の一実施例によるユーザ装置における能力情報報告処理を説明する。図１０は、本発明の一実施例による能力情報報告処理を示すフロー図である。
【００５２】
図１０に示されるように、ステップＳ１０１において、通信制御部１１０は、ユーザ装置１００によりサポートされるキャリアアグリゲーション可能な周波数バンドの組み合わせを報告させるための能力照会メッセージ（ＵＥＣａｐａｂｉｌｉｔｙＥｎｑｕｉｒｙメッセージ）を基地局２００から受信する。当該能力照会メッセージを受信すると、能力情報報告部１３０は、受信した能力照会メッセージに基づき、報告対象となるキャリアアグリゲーション可能な周波数バンドの組み合わせとその報告順とを決定する。
【００５３】
例えば、報告対象の組み合わせを指定するため、基地局２００は、報告対象の１以上の組み合わせを識別する識別子を指定してもよい。あるいは、基地局２００は、ダウンリンクコンポーネントキャリアの最大数とアップリンクコンポーネントキャリアの最大数とを通知し、これら最大数以下のダウンリンクコンポーネントキャリアの個数とアップリンクコンポーネントキャリアの個数との組み合わせを報告対象として指定してもよい。また、報告順は、ユーザ装置１００に静的に設定されてもよいし、基地局２００から送信される能力照会メッセージにおいて指定されてもよい。
【００５４】
ステップＳ１０２において、能力情報報告部１３０は、決定されたアップリンクコンポーネントキャリアの個数又はダウンリンクコンポーネントキャリアの個数に関する報告順に従って、キャリアアグリゲーションが可能な周波数バンドの各組み合わせを基地局２００に報告する。例えば、報告順がダウンリンクコンポーネントキャリアの個数の昇順に設定されている場合、能力情報報告部１３０は、ダウンリンクコンポーネントキャリアの個数の昇順によって、報告対象のキャリアアグリゲーション可能な周波数バンドの各組み合わせを基地局２００に報告する。また、報告順がダウンリンクコンポーネントキャリアの個数の昇順に設定され、基地局から周波数バンドが指定されている場合、能力情報報告部１３０は、ダウンリンクコンポーネントキャリアの個数の昇順により、基地局２００から指定された周波数バンドから構成される各組み合わせを基地局２００にまず報告し、その後に基地局２００から指定されない周波数バンドを含む各組み合わせを基地局２００に報告する。
【００５５】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５６】
１０  無線通信システム
１００  ユーザ装置
１１０  通信制御部
１２０  能力情報管理部
１３０  能力情報報告部
２００  基地局
【図１】
2018093520.tif 000003
【図２】
2018093520.tif 000004
【図３】
2018093520.tif 000005
【図４】
2018093520.tif 000006
【図５】
2018093520.tif 000007
【図６】
2018093520.tif 000008
【図７】
2018093520.tif 000009
【図８】
2018093520.tif 000010
【図９】
2018093520.tif 000011
【図１０】
2018093520.tif 000012